(57)【要約】【課題】  着座姿勢からの起立動作、及び起立姿勢からの着座動作を補助して、身体への負担が少なく楽に使用することのできる、使用性や安全性に優れた起立補助椅子を提供する。【解決手段】  起立補助椅子１は、側面側フレーム１４１に支持されたアームレスト１２を座部１３の左右に有し、座部１３の後方に背もたれ１１を備えている。座部１３は前座部１３１と後座部１３２とからなり、前座部１３１の後端縁と後座部１３２の前端縁とが屈曲自在に連設されている。また、後座部１３２の下面側には背面側下部フレーム１４３に支持されるとともに電動アクチュエータ１６により伸縮可能に構成された支持杆１５が斜め方向に傾斜した状態で取着されている。そして、後座部１３２を支持杆１５の長さ方向にほぼ平行移動させることで、座面高さが昇降可能とされている。【選択図】  図１
2005118121.tif 000002
【特許請求の範囲】
【請求項１】
側面側フレームに支持されたアームレストを座部の左右に有し、座部の後方に背もたれを備えた起立補助椅子であって、
前記座部は前座部と後座部とからなり、前座部の後端縁と後座部の前端縁とが屈曲自在に連設されるとともに、後座部の下面側には背面側下部フレームに支持された伸縮可能な支持杆が斜め方向に傾斜した状態で取着されて、
後座部が前記支持杆の長さ方向にほぼ平行移動して座面高さが昇降可能とされたことを特徴とする起立補助椅子。
【請求項２】
前記支持杆が電動アクチュエータにより伸縮可能とされていることを特徴とする請求項１に記載の起立補助椅子。
【発明の詳細な説明】
【技術分野】
【０００１】
この発明は、着座姿勢からの起立動作、及び起立姿勢からの着座動作を補助するための起立補助椅子に関する。
【背景技術】
【０００２】
従来より、椅子での着座姿勢から自力で立ち上がることが困難となった高齢者や障害者等ために、起立動作を補助することのできる起立補助椅子が提案されている。
【０００３】
例えば、特許文献１には、椅子の座板上のシート部を前脚側の座板に回動可能に取り付け、前記シート部を常時隆起する方向に付勢している付勢手段と、シート部を任意の傾斜位置に係止する係止機構とを備えた起立補助椅子が提案されている。また、この起立補助椅子は、後脚にアームレストが伸縮可能に設けられ、アームレスト保持機構によってアームレストを任意の位置に保持しうるように構成されている。かかる構成において、前記の付勢手段及びアームレスト保持機構には、ガススプリングが採用されている。さらに、アームレスト保持機構は、アームレストにおける支柱下部側に変位可能に設けたフック部材と、アームレスト下面に設けた操作レバーと、前記フック部材と操作レバーとを連結する連動杆とを備える一方、前記後脚内面にフック部材を係止させる複数のフック受け部を備えた構成となっている。
【０００４】
この種の起立補助椅子では、使用者はアームレストに手を掛けて身体を支えながら腰を浮かせなければならない。座板上のシート部は付勢手段によって常時隆起する方向へ付勢されているので、前記のように腰を浮かせることで、これに追従してシート部の後方が前脚側の方に傾斜し隆起する仕組みとなっている。そして、使用者はこのようなシート部の隆起によって腰が持ち上げられ、起立動作を補助されることとなる。
【特許文献１】特開平７−８５２１号公報
【発明の開示】
【発明が解決しようとする課題】
【０００５】
しかしながら、前記のような従来の起立補助椅子においては、まず始めに使用者が自分の体をアームレストで支えつつ腰を浮かせる必要があるので、この動作が使用者にとって負担となる。また、使用者は、傾斜状態となったシート部により上体が前方へ押し出されて前傾姿勢となってしまう。このため、立ち上がることのできる姿勢となるまで、使用者は、シート部からずり落ちないようにアームレストをつかんで身体を支えたり、バランスを崩さないように踏ん張ったりしなければならなかった。
【０００６】
このような動作も、使用者にとって身体の負担となるだけでなく、かかる動作を行うことができない場合には安全に立ち上がることも困難となる。加えて、使用者は最終的には、前傾した不安定な姿勢から立ち上がらなければならないので、アームレストを手摺りとして使用し、身体を支えなければならず、相当な腕力が必要となる場合もあって、高齢者等が使用するには好ましくなかった。
【０００７】
本発明は以上のような事情にかんがみてなされたものであり、着座姿勢からの起立動作、及び起立姿勢からの着座動作を補助することで、身体への負担を軽減して楽に起立又は着座することのできる、使用性や安全性に優れた起立補助椅子を提供することを目的とする。
【課題を解決するための手段】
【０００８】
前記の課題を解決するために本発明は、側面側フレームに支持されたアームレストを座部の左右に有し、座部の後方に背もたれを備えた起立補助椅子であって、前記座部は前座部と後座部とからなり、前座部の後端縁と後座部の前端縁とが屈曲自在に連設されるとともに、後座部の下面側には背面側下部フレームに支持された伸縮可能な支持杆が斜め方向に傾斜した状態で取着されて、後座部が前記支持杆の長さ方向にほぼ平行移動して座面高さが昇降可能とされたことを特徴としている。
【０００９】
この発明により、着座しているときは、前後の座部が平坦状となって安定した姿勢で着座することができ、この着座姿勢から起立するときは、後座部を支持杆の長さ方向にほぼ水平な状態で上昇させることができる。これにより、着座している使用者の腰は安定して後座部に支持されたまま持ち上げられる。また、前座部は、後座部の上昇に追従して後方から持ち上がり、自ずと下方へ垂下した状態に誘導される。そして、後座部を適宜の高さまで上昇させることで、使用者は着座姿勢から起立姿勢へと楽に移行することができるようになり、容易に立ち上がることができる。
【００１０】
また反対に、起立姿勢から着座する際には、使用者は前記とは逆の動作を行えばよく、起立姿勢から後座部に腰を載せるだけで、後座部が使用者の腰を安定的に支えた状態のままスムーズに下降し、使用者に苦痛を与えることなく容易に着座することを可能にする。
【００１１】
さらに、本発明においては、支持杆は電動アクチュエータにより伸縮可能とされていることを特徴としている。このように電動アクチュエータを使用することで、後座部を電動駆動によって容易かつスムーズに駆動させることができる。
【発明の効果】
【００１２】
本発明に係る起立補助椅子により、座部の後座部が支持杆の長さ方向にほぼ水平な状態で昇降するので、使用者の着座姿勢からの起立動作や、起立姿勢からの着座動作を、安定的に補助することができる。したがって、使用者は、起立動作時や着座動作時の身体への負担が格段に軽減されて、これらの動作を容易に行うことができるとともに、椅子の使用性や安全性も高めることができる。
【発明を実施するための最良の形態】
【００１３】
以下、本発明に係る起立補助椅子の実施の形態について、図面を参照しつつ説明する。
【００１４】
図１〜図３は本発明に係る起立補助椅子を示し、図１起立補助椅子の側面図、図２は座部が上昇したところを示す側面図、図３は起立補助椅子の正面図である。
【００１５】
起立補助椅子１は、座部１３の後方に背もたれ１１を有し、座部１３の左右には、側面側フレーム１４１に支持されたアームレスト１２を備えている。
【００１６】
座部１３は、前座部１３１と後座部１３２とからなる。前座部１３１は比較的奥行きが浅く、後座部１３２は奥行きが深く形成されている。そして、前座部１３１の後端下縁と後座部１３２の前端下縁とが屈曲自在に連設されている。これらの前座部１３１と後座部１３２とは、それぞれ内部にクッション材が充填され、表面を覆う表生地が互いに縫合されることで連設されても、また、両座部１３１，１３２の間にヒンジが介されて屈曲自在とされてもよい。さらに、例示の形態では、前座部１３１の前端縁に、膝への接触を和らげるカバー部１３３が前記と同様に屈曲自在に連設されている。
【００１７】
背もたれ１１を支持する背面側フレーム１４２の下方には、下部フレーム１４３が架設されている。この下部フレーム１４３の幅方向のほぼ中央には、ベース部１５１を介して
パイプ状の支持杆１５が設けられている。
【００１８】
支持杆１５は、電動アクチュエータ１６によって、その長さ方向に伸縮可能に構成されている。後座部１３２の下面側には、支持杆１５の上端が取着されて斜め方向に傾斜した状態で架け渡され、電動アクチュエータ１６のコントロールボックス１６１が設けられている。
【００１９】
また、図１に示すように、座部１３の下面側には、前リンク１９１、後リンク１９２及び接続リンク１９３による平行リンク機構１９が形成されて座部１３を支持している。前リンク１９１の一端は、後座部１３２の前端下部に軸着され、この前リンク１９１端部の後方に後リンク１９２の一端が軸着されている。また、これらの前リンク１９１及び後リンク１９２の他端は、前座部１３１の前端下部に立設された接続リンク１９３の端部にそれぞれ接続されている。
【００２０】
これにより、起立補助椅子１は、座部１３を上昇させていない通常の着座状態にあるときは、平行リンク機構１９の各リンク１９１，１９２，１９３が前座部１３１の下面側と後座部１３２の下面側との間で水平に横架して備えられており、電動アクチュエータ１６の駆動よる支持杆１５の伸張にともなって、各リンク１９１，１９２，１９３が立ち上げられ、略平行四辺形の支持形状を形成する。そして支持杆１５は、かかる平行リンク機構１９を介して、後座部１３２をほぼ水平な状態のまま、該支持杆１５の長さ方向に平行移動可能とさせることができる。
【００２１】
また、起立補助椅子１は、図示するようにアームレスト１２の先端部に座部昇降スイッチ１７を備えている。この座部昇降スイッチ１７を操作することによって、電動アクチュエータ１６が作動し、支持杆１５を伸縮させることができるようになっている。
【００２２】
以上のような構成の起立補助椅子１においては、使用前の状態では、図１に示すように前座部１３１の後方に後座部１３２が段差なく水平状態に配置されている。このような状態の起立補助椅子１に着座している使用者は、起立動作を補助する必要がある場合、座部昇降スイッチ１７をアームレスト１２の先端部とともに握り、座部昇降スイッチ１７を上方へ傾けることで電動アクチュエータ１６が駆動し、支持杆１５が伸張し始める。これにより、後座部１３２はゆっくりと支持杆１５の長さ方向に上昇し、水平な状態を保ちつつ使用者の腰を持ち上げていく。
【００２３】
後座部１３２の上昇は、支持杆１５の長さの範囲内で、使用者が座部昇降スイッチ１７から手を放してスイッチ操作を停止するまで継続される。例示の形態では、図１で実線にて示される座部の使用前状態での座面高さが７１．８ｃｍとされ、図２に示すように、約１５〜２０ｃｍの高さまで上昇可能とされている。
【００２４】
また、かかる後座部１３２の上昇にともなって、前座部１３１は後端側が引き上げられたのち、自ずと下方へ垂下した状態に誘導される。また、それとともに、前座部１３１に連設されているカバー部１３３は、やや下方に下降することとなる。
【００２５】
後座部１３２の座面高さが、使用者の立ち上がりやすい高さになると、座部昇降スイッチ１７から手を放し上昇を停止させる。あるいは、座部昇降スイッチ１７を操作し続けた場合でも、高さ上限に達すると、後座部１３２の上昇は停止する。このようにして、後座部１３２を適切な高さで停止させると、着座していた使用者の腰は、もとの位置から安定的に保持されたまま前斜め上方へ移動されることになる。したがって使用者は、最後に軽く腰を持ち上げるだけで楽に起立することが可能となり、身体に負担をかけることなく安全に立ち上がることができる。
【００２６】
また、再び着座する場合には、上記とは逆に、起立姿勢から後座部１３２に腰を載せ、座部昇降スイッチ１７を下方に傾ける操作を行うことで、後座部１３２がゆっくりと下降し始め、もとの高さに戻される。スムーズに着座することができる。すなわち、座部昇降スイッチ１７を操作して電動アクチュエータ１６を駆動させるとともに、使用者が後座部１３２に腰を載せたことで受ける荷重によって、支持杆１５が収縮していき、前座部１３１と後座部１３２とが段差のない水平状態に戻される。したがって、使用者は、起立姿勢に近い状態で後座部１３２に腰を掛けることができ、そのまま安定的に着座姿勢へと移行することができるので、苦痛などをともなうことがなく、安心して着座することができる。
【００２７】
以上のように、本発明に係る起立補助椅子１によれば、着座姿勢からの起立動作、及び起立姿勢からの着座動作を安定的に補助することができるので、高齢者等の身体への負担を軽減して楽に起立又は着座することが可能となる。また、座部１３の後座部１３２は、支持杆１５の長さ方向にほぼ水平な状態で昇降するので、使用者が不安定な姿勢となることもなく、高い使用性と安全性を確保することができる。
【産業上の利用可能性】
【００２８】
本発明に係る起立補助椅子は、身体への負担を軽減して容易に起立動作や着座動作を行うことを可能にし、高齢者や障害者等の自立の促進と介護者の負担の軽減に資する福祉用具として利用することができる。
【図面の簡単な説明】
【００２９】
【図１】本発明に係る起立補助椅子の側面図である。
【図２】本発明に係る起立補助椅子において座部を上昇させたところを示す側面図である。
【図３】本発明に係る起立補助椅子の正面図である。
【符号の説明】
【００３０】
１      起立補助椅子
１１    背もたれ
１２    アームレスト
１３    座部
１３１  前座部
１３２  後座部
１４    フレーム
１４１  側面側フレーム
１４２  背面側フレーム
１４３  下部フレーム
１５    支持杆
１６    電動アクチュエータ
１６１  コントロールボックス
１７    座部昇降スイッチ
１９    平行リンク機構
１９１  前リンク
１９２  後リンク
１９３  接続リンク
【図１】
2005118121.tif 000003
【図２】
2005118121.tif 000004
【図３】
2005118121.tif 000005